(57)【要約】      （修正有）【課題】ラックマウントの設置状態でも作業効率が良い電子機器を提供する。【解決手段】アングル部材５０は、両側板２０に揺動可能に取り付けられ、鋼板により形成される部材である。アングル部材５０は、両側板２０とほぼ同一の形状の側板部５０ｆと、その側板部５０ｆに垂直に形成される前面部５０ｇとを有する。側板部５０ｆには、音源モジュール１がラックに取り付けられた際に、傾斜角度を調整するための５つのボールプランジャのボールが嵌合される支持孔５０ｂと、ボールプランジャにより押されアングル部材５０が外側に開くのを防止するためのガイド部材３０が挿入されるガイド孔５０ｃとが形成され、前面部５０ｇには、ラックにネジにより固着するためのネジ孔５０ａが形成されている。【選択図】図１
2006179650.tif 000002
【特許請求の範囲】
【請求項１】
ラックに装着可能であり本体の前面に形成された操作パネルに複数の操作子を備えた電子機器において、
前記操作パネルに対して垂直に形成された本体の側面に揺動軸と、
所定の揺動位置で電子機器を支持する支持手段と、
ラックに固着されるラック固着部と、前記揺動軸に固着される揺動軸固着部と、前記支持手段を支持する保持部とを有するアングル部材とを備えていることを特徴とする電子機器。
【請求項２】
前記揺動軸は、前記操作パネル近傍の上方に設けられていることを特徴とする請求項１記載の電子機器。
【請求項３】
前記支持手段は、３以上の揺動位置において固着する固着位置を有するものであることを特徴とする請求項１または２記載の電子機器。
【請求項４】
前記支持手段は、ボールプランジャであり、前記保持部は、アングル部材に前記揺動軸を中心とする円弧上に形成された複数の支持孔であることを特徴とする請求項３に記載の電子機器。
【請求項５】
前記本体は、側板が五角形である五角柱に形成されていることを特徴とする請求項１から４のいずれかに記載の電子機器。
【請求項６】
前記操作パネルは、液晶表示器を備えていることを特徴とする請求項１から５のいずれかに記載の電子機器。
【発明の詳細な説明】
【技術分野】
【０００１】
本発明は、ラックに搭載して使用したり、卓上に置いて使用したりできる電子機器に関する。
【背景技術】
【０００２】
従来、複数の電子機器を互いに配線したり同時に使用したりする場合、それらの電子機器をラックに搭載して、省スペース化や作業効率の向上を図るのが一般的である。さらに、電子機器間の煩雑な配線の大部分を正面からは見えないラックの後側で行い、作業場の美観や安全性を向上させることも行われている。
【０００３】
例えばオーディオやビデオ機器などのように、ラックに搭載したまま動かさずに一定の場所で長期間使用する電子機器の多くは、操作や表示を行う操作パネルを電子機器本体（以下、単に「本体」と云う）の前面に設け、入出力端子を本体の背面に設けて、使用者が操作し易いようにしている。
【０００４】
しかし、電子機器の中には、ラックに搭載して（以下、「ラックマウント」という）使用したり、個別に卓上に置いて（以下、「スタンドアローン」という）使用したりするものもある。このような電子機器としては、音源モジュールなどがある。
【０００５】
音源モジュールとは、鍵盤やシーケンサから演奏データとしての楽音の音高や音色や音量などを指示する信号を入力し、その入力に対応する楽音を形成して出力するもので、レコーディングなどの音作りに使われる電子機器である。形成された楽音の周波数特性を変更するイコライザーや効果を付与するエフェクターなども装備している。なお、形成された楽音の音量や音色を調整するための各種の操作子は、本体の前面に設けた操作パネルに取り付けられ、各種設定されたパラメータなどを表示する液晶表示器もこの操作パネルに備えられている。
【０００６】
特開２００４−１１１６５７号公報には、ラックマウントとスタンドアローンとで使用する電子機器であるミキサーが開示されている。
【特許文献１】特開２００４−１１１６５７号公報
【発明の開示】
【発明が解決しようとする課題】
【０００７】
しかしながら、このような電子機器をラックに搭載する場合、ラックの前面が垂直に形成され、操作パネルが垂直に設置される。ラックに設置される高さが、使用者の目線とほぼ同じであれば、操作パネルに設けられた操作子を操作しやすく、また操作パネルに設けられた表示画面も見やすいが、操作者の目線の高さから離れたラックの下方などに設置された場合は、操作子を操作したり表示画面を見るのが困難になり、作業効率が低下してしまうという問題点があった。
【０００８】
特に、表示画面が液晶により形成されている場合は、液晶画面をその画面にほぼ垂直な方向から見ないと視認できないという問題点があった。
【０００９】
そこで、ラックに搭載する場合に、操作パネルのみを任意の角度に傾斜して設置することが考えられる。しかし、本体に対し操作パネルが回動可能とすると構造が複雑になりコスト高になってしまうという問題点があった。
【００１０】
本発明は、上記問題点を解決するためになされたもので、スタンドアローンおよびラックマウントのいずれの設置状態にも対応できる電子機器の構造をコスト高になることなく、その両方の設置状態のいずれでも作業効率が良い電子機器を提供することを目的とする。
【課題を解決するための手段】
【００１１】
この目的を達成するために、請求項１記載電子機器は、ラックに装着可能であり本体の前面に形成された操作パネルに複数の操作子を備えたものであって、前記操作パネルに対して垂直に形成された側面に揺動軸と、所定の揺動位置で電子機器を支持する支持手段と、ラックに固着されるラック固着部と、前記揺動軸に固着される揺動軸固着部と、前記支持手段を支持する保持部とを有するアングル部材とを備えている。
【００１２】
請求項２記載の電子機器は、請求項１記載の電子機器において、前記揺動軸は、前記操作パネル近傍の上方に設けられている。
【００１３】
請求項３記載の電子機器は、請求項１または２記載の電子機器において、前記支持手段は、３以上の揺動位置において固着する固着部を有するものである。
【００１４】
請求項４記載の電子機器は、請求項３記載の電子機器において、前記支持手段は、ボールプランジャであり、前記保持部は、アングル部材に前記揺動軸を中心とする円弧上に形成された複数の支持孔である。
【００１５】
請求項５記載の電子機器は、請求項１から４のいずれかに記載の電子機器において、前記本体は、側板が五角形である五角柱に形成されている。
【００１６】
請求項６記載の電子機器は、請求項１から５のいずれかに記載の電子機器において、前記操作パネルは、液晶表示器を備えている。
【発明の効果】
【００１７】
請求項１記載の電子機器によれば、ラックに装着可能であり本体の前面に形成された操作パネルに複数の操作子を備えたものであって、操作パネルに対して垂直に形成された側面に揺動軸と、所定の揺動位置で電子機器を支持する支持手段と、ラックに固着されるラック固着部と、前記揺動軸に固着される揺動軸固着部と、前記支持手段を支持する保持部とを有するアングル部材とを備えているので、電子機器をラックに装着した場合に、操作パネルの傾斜角度を調整でき、操作パネルに備えられた操作子が操作しやすく作業効率がよいという効果がある。
【００１８】
請求項２記載の電子機器によれば、請求項１記載の電子機器の奏する効果に加え、揺動軸は、操作パネル近傍の上方に設けられているので、操作パネルを傾斜させて設置した場合に、操作パネルがラックの前方に持ち上げられて設置される。よって、操作パネルに備えられた操作子を操作しやすいという効果がある。揺動軸が、操作パネルの垂直方向における中央や下方に位置する場合には、操作パネルが傾斜するように設置すると操作パネルの一部がラックの内側に位置することになり、操作がしにくくなる。
【００１９】
請求項３記載の電子機器によれば、請求項１または２記載の電子機器の奏する効果に加え、支持手段は、３以上の揺動位置において固着する固着部を有するものであるので、操作者が操作しやすいように、操作パネルの傾斜角度を調整することができるという効果がある。
【００２０】
請求項４記載の電子機器によれば、請求項３記載の電子機器の奏する効果に加え、支持手段は、ボールプランジャであり、保持部は、アングル部材に揺動軸を中心とする円弧上に形成された複数の支持孔であるので、操作パネルの傾斜角度を調整することができる機構を安価に形成することができるという効果がある。
【００２１】
請求項５記載の電子機器によれば、請求項１から４のいずれかに記載の電子機器の奏する効果に加え、本体は、側板が五角形である五角柱に形成されているので、操作パネルを傾斜してラックに設置する場合に、電子機器の上、または下に設置される電子機器との間にスペースを設ける必要がない、またはそのスペースを小さいものとすることができるという効果がある。
【００２２】
請求項６記載の電子機器によれば、請求項１から５のいずれかに記載の電子機器において、操作パネルは、液晶表示器を備えているので、操作パネルの傾斜角度を調整し、見やすい位置に設定することができるという効果がある。
【発明を実施するための最良の形態】
【００２３】
以下、本発明の好ましい実施形態について、添付図面を参照して説明する。本発明による電子機器の一実施形態である音源モジュール１の正面斜視図を図１に示し、その背面斜視図を図２に示す。
【００２４】
音源モジュール１は、本体１０と、その本体の両側板２０，２０に取り付けた山形のアングル部を有する一対のアングル部材５０，５０とからなる。先ず、本体１０について説明する。本体１０は、図１および図２に示すように操作パネル１１と、操作パネル上端に連接し操作パネルに垂直に形成された上面２１と、操作パネル下端に連接し操作パネルに垂直に形成された下面２２と、下面２２の他端に連接し、操作パネル１１または下面１１と４５度の角度を有する底面２３と、底面２３の他端に連接し、底面２３に垂直に形成されるとともに、他端を上面２１と連接し、上面と４５度の角度を有する背面４０とを柱面とする五角柱の形状をしている。
【００２５】
操作パネル１１は、底面２３を卓上に設置した場合には４５度の下り勾配の斜面になる。この操作パネル１１には、液晶表示器１２と、丸ボリュームつまみ１３、スイッチ釦１４などの多数の操作子と、マイクロフォンが接続されるキャノンコネクタ１５と、ＵＳＢポート１６と、ＰＣカードが装着されるカードスロット１７と電源スイッチ１８などが設けられている。
【００２６】
また、操作パネル１１の水平方向の両端には、コの字型に形成されたハンドルが備えられ、このハンドルを操作することにより、操作パネル１１が垂直面に対し任意の角度になるように設定することができる。
【００２７】
底面２３には、４ヶ所（一部のみ図示）にゴム足が形成され、卓上に設置される場合には、これらのゴム足が卓上に接する。
【００２８】
アングル部材５０は、両側板２０に揺動可能に取り付けられ、鋼板により形成される部材である。アングル部材５０は、両側板２０とほぼ同一の形状の側板部５０ｆ、その側板部５０ｆに垂直に形成される前面部５０ｇとを有する。側板部５０ｆには、音源モジュール１がラック７０（図５参照）に取り付けられた際に、傾斜角度を調整するための５つのボールプランジャ３２（図３参照）のボールが嵌合される支持孔５０ｂと、ボールプランジャ３２により押されアングル部材５０が外側に開くのを防止するためのガイド部材３０が挿入されるガイド孔５０ｃとが形成され、前面部５０ｇには、ラック７０にネジにより固着するためのネジ孔５０ａが形成されている。
【００２９】
背面４０には、ＡＣ電源が接続される電源コネクタ４１と、ＵＳＢケーブルが接続されるＵＳＢポート４２と、ステレオの出力であるピンジャック４３と、ＭＩＤＩイン、ＭＩＤＩスルー、ＭＩＤＩアウトの３つのＭＩＤＩジャック４４と、複数の入力または出力ジャック４５が設けられている。
【００３０】
両側のアングル部材５０は、連結部材５１により連結され、音源モジュール１がラック７０に取り付けられる際に、両側のアングル部材５０が互いに対向する位置に配置されるとともに、音源モジュール１の傾斜角度を変更する際に、ボールプランジャ３２により押されアングル部材５０が外側に開くのを防止している。
【００３１】
次に、図３および図４を参照して側板２０とアングル部材５０の詳細について説明する。図３（ａ）は、側板２０の正面図であり、図３（ｂ）は、図３（ａ）におけるＡ−Ａ線断面図である。また、図４は、側板２０とアングル部材５０の分解斜視図である。
【００３２】
側板２０には、５つのネジ孔２０ａが設けられ、側板２０は、このネジ孔により本体１０にネジ止めされる。側板２０の前面近傍であって、前面の上方に対応する位置に第１のシャフト３３および第２のシャフト３４が側板２０に対して回動可能に装着される。第１のシャフト３３および第２のシャフト３４は、樹脂により形成され、第１のシャフト３３には、円筒の両側に平面を有する突起を有し、第２のシャフト３４には、内側に第１のシャフトの円筒の両側に平面をを有する突起に嵌め合うくぼみを有し、外径が側板２０に形成されたシャフト孔に嵌合する軸が形成される。
【００３３】
側板２０は、第１のシャフト３３と第２のシャフト３４により挟まれ、第１のシャフト３３と第２のシャフト３４とは、第２のシャフト３４側からタッピングネジより固着され一体となって側板２０に対して回動可能となる。第２のシャフトは、アングル部材５０に形成された２つのビス孔５０ｅにタッピングネジが挿入され、アングル部材５０に固着される。２つのビス孔５０ｅの間の孔５０ｄは、側板２０、第１のシャフト３３、第２のシャフト３４およびアングル部材５０とを組み立てた後、第１のシャフト３３と第２のシャフト３４とが円滑に揺動するように、タッピングネジの締め具合を調整するためのものである。
【００３４】
音源モジュール１がラックに取り付けられた際に、音源モジュール１を所定の傾斜角度で保持するため、側板２０には、ボールプランジャ３２が設けられ、アングル部材５０には、揺動軸を中心とする円弧上の五箇所に、支持孔５０ｂが設けられている。ボールプランジャ３２は、図３（ｂ）にその断面を示すように、円筒形の外径にネジ３２ｃが形成され、側板２０に設けられた雌ネジにネジ止めされる。円筒の内部には、鋼球３２ａ（ボール）が挿入され、このボール３２ａを圧縮コイルばね３２ｂが外側へ押し出すように付勢している。
【００３５】
ボール３２ａが、側板２０に形成されたいずれかの支持孔５０ｂに嵌合している場合は、圧縮コイルばね３２ｂが、ボール３２ａを外側へ押しているため、音源モジュール１は、その角度で維持される。操作パネル１１のハンドル２５を持って、音源モジュール１の傾斜角度を変更すると、圧縮コイルばね３２ｂに抗してボール３２ａを内側に押し、角度を変更することができる。
【００３６】
アングル部材５０には、音源モジュール１が揺動軸を中心として、約４５度揺動が可能なように、円弧を長手方向とする長円のガイド孔５０ｃが形成され、圧縮コイルばね３２ｂに押されてアングル部材５０が外側に開かないように、ガイド孔５０ｃの幅より広い押さえ部を有するガイド部材３０が、側板２０に設けられている。
【００３７】
図５は、上記のように構成された音源モジュール１をラック７０に装着した状態を示す図である。ラック７０は、ＥＩＡ規格に準拠１９インチラックであり、ラック７０の内部両側に垂直な柱が備えられ、その柱には、電子機器を固着するための雌ネジが多数形成されている。これらの雌ネジは、１Ｕの高さの電子機器を装着することができるピッチで形成されている。音源モジュール１の操作パネルは、４Ｕの高さを有し、図５のように傾斜角度を持たせるためには、音源モジュール１を取付る位置の、上の１Ｕのスペースは、空間にしておく必要があるが、下方は、スペースを設ける必要がない。
【００３８】
図６は、音源モジュール１を傾斜して固定する場合の側面を示す図である。図６（ａ）は、操作パネル１１が垂直になるように設定した場合であり、図６（ｂ）は、操作パネル１１が、垂直な方向から２２．５度傾斜して設定した場合を示し、図６（ｃ）は、操作パネル１１が、垂直な方向から４５度傾斜して設定した場合を示す。図６（ａ）から分かるように、操作パネル１１が垂直になるように設定した場合は、本体１０は、上部および下部が上または下のスペースに突出しないが、図６（ｂ）および図６（ｃ）から分かるように、操作パネル１１が傾斜するように設定した場合は、上部に突出し、下部には突出しない。
【００３９】
以上のように、本発明の電子機器は、ラックに装着した場合に電子機器を任意の角度に設置することができるので、操作パネルに形成された操作子を操作しやすい位置に設定することができる。また、操作パネルには、液晶表示画面が備えられ、液晶表示画面を見やすい角度に設定することができる。
【００４０】
また、電子機器の回動軸が、操作パネルの近傍上部に配置されているので、電子機器を回動して設置した場合に、操作パネルの下端が前方に持ち上げられる。したがって、操作パネルが見やすくなるとともに、操作子の操作がしやすくなる。
【００４１】
以上、本発明を適用した電子機器が音源モジュールである場合の実施形態について説明してきたが、本発明は、上記実施形態に何ら限定されるものでなく、本発明の趣旨を逸脱しない範囲内で種々の改良変形が可能であることは容易に推察できるものである。
【００４２】
例えば、上記実施形態では、本発明による電子機器を音源モジュールとしたが、音響効果装置、レコーダー、カラオケ装置などに適用してもよい。
【００４３】
また、上記実施形態では、揺動軸を側板２０にそれぞれ独立して設けたが、揺動軸が本体１０を貫通し、左右のアングル部材が連動するように構成してもよい。
【００４４】
また、上記実施形態では、側板２０にボールプランジャ３２を備え、アングル部材５０に形成された支持孔５０ｂにボール３２ａが、挿入されることにより音源モジュール１を所定の角度に保持するように構成したが、ラチェットの様に一方向に回転し、他方には所定の角度毎に刻まれた歯により回転しないような構成としてもよい。
【図面の簡単な説明】
【００４５】
【図１】本発明による音源モジュールの前面外観を示す外観斜視図である。
【図２】音源モジュールの背面外観を示す斜視図である。
【図３】（ａ）は、側板の正面図であり、（ｂ）は、（ａ）のＡ−Ａ線断面図である。
【図４】音源モジュールを揺動して設置する様子を示す側板図である。
【図５】音源モジュールをラックに装着した様子を示す斜視図である。
【図６】（ａ）は、音源モジュールを操作パネルが垂直になるように設定した様子を示す側面図であり、（ｂ）および（ｃ）は、操作パネルを所定の角度だけ傾けて設定した様子を示す側面図である。
【符号の説明】
【００４６】
１                  音源モジュール（電子器機）
１１                操作パネル
１２                液晶表示器
１３                丸ボリュームつまみ（操作子の一部）
１４                スイッチ釦（操作子の一部）
２０                側板                  
３０                ガイド部材
３２                ボールプランジャ（支持手段の一部）
３３                第１のシャフト（揺動軸の一部）
３４                第２のシャフト（揺動軸の一部）
５０                アングル部材
５０ａ              ラック固着部
５０ｂ              支持孔（保持部）
５０ｅ              揺動軸固着部
【図１】
2006179650.tif 000003
【図２】
2006179650.tif 000004
【図３】
2006179650.tif 000005
【図４】
2006179650.tif 000006
【図５】
2006179650.tif 000007
【図６】
2006179650.tif 000008